(57)【特許請求の範囲】
【請求項１】
並設される第１の円柱状部材と第２の円柱状部材とを連結するために一対で用いられる連結金具であって、
２つ折り形状であり、
前記２つ折りの谷部に形成された第１締着部であり、前記谷部の谷底に沿う線（以下、「谷底線」と称す。）に対して平行な線を中心軸とする円筒状に形成されて円柱状部材を挟み込む第１締着部と、
前記２つ折りの重なり部に形成された第２締着部であり、前記谷底線に対して垂直な線を中心軸とする円弧状断面を有して向かい合わせに配置された２つの側壁を備えるとともに、当該２つの側壁を貫通してボルトにより締結可能な第１貫通孔を備える第２締着部と
を有する連結金具。
【請求項２】
前記第１貫通孔は、前記谷底線に対して垂直方向に長い長方形状の孔である請求項１記載の連結金具。
【請求項３】
前記第１貫通孔と前記第１締着部との間に第２貫通孔を備える請求項１または２に記載の連結金具。
【請求項４】
並設される第１の円柱状部材と第２の円柱状部材とを連結する連結構造であって、
請求項１から３のいずれか１項に記載の連結金具を一対含み、
前記一対の連結金具の第１締着部に前記第１の円柱状部材および前記第２の円柱状部材がそれぞれ締着され、
前記一対の連結金具の第２締着部同士が、互いの前記第１貫通孔が重なり合うように配置され、全ての前記第１貫通孔を貫通してボルトにより締結された連結構造。
【請求項５】
並設される第１の円柱状部材と第２の円柱状部材とを連結する連結構造であって、
請求項１から３のいずれか１項に記載の連結金具を一対含み、
前記一対の連結金具の第１締着部に前記第１の円柱状部材および第２の円柱状部材がそれぞれ締着され、
前記一対の連結金具のそれぞれの第２締着部に第３の円柱状部材が当該第３の円柱状部材および前記第１貫通孔を貫通してボルトにより締着された連結構造。
【発明の詳細な説明】
【技術分野】
【０００１】
本発明は、ビニルハウスを構成するスチールパイプ等の円柱状部材を連結する連結金具およびこれを用いた連結構造に関する。
【背景技術】
【０００２】
ビニルハウスは多数のアーチ部材の上面を透明のシートで被覆して形成されるが、アーチ部材を覆うシートが風を受けやすく、かつ、アーチ部材が細いパイプによって組み立てられ、剛性が低い構造であるため、強風時に大きな変形を生じて倒壊に至る虞がある。そこで、例えば特許文献１，２に記載のように、曲率の異なる２つのアーチパイプ（アーチパイプおよび補強パイプ）を、曲率半径方向に所定の間隙を空けて連結してアーチ部材を形成することによって強度を高めたものがある。
【０００３】
このとき、２つのアーチパイプは、例えば特許文献１に記載のような連結金具で連結することによって一体化される。図１１は従来の連結金具の分解斜視図である。図１１に示すように、この連結金具１００は、アーチパイプに取り付けられる第１金具１０１と、補強パイプに取り付けられる第２金具１０２と、２組の連結ボルト１０３およびナット１０４とを備え、両金具１０１，１０２を連結ボルト１０３およびナット１０４で締結することにより、アーチパイプと補強パイプとを連結するようになっている。
【０００４】
第１金具１０１および第２金具１０２は、同形の平行な二片１０５，１０６を有する二つ折り形状とされ、その金具基端を略筒状に膨らませてなる締着部１０７でアーチパイプあるいは補強パイプを締め付けるようにして取り付けられる。また、両金具１０１，１０２は、互いにその一片を他方の金具の二片１０５，１０６間の隙間に挿入するように重ねられ、二片１０５，１０６に形成された長孔状の縦孔１０８および横孔１０９に連結ボルト１０３を挿通して締結するようになっている。
【０００５】
さらに、長孔状の縦孔１０８は、金具１０１，１０２の基端付近に、長手方向を金具１０１，１０２の長さ方向（アーチパイプおよび補強パイプと直交する方向）と平行に形成され、長孔状の横孔１０９は、金具１０１，１０２の先端付近に、縦孔１０８と直交する方向に形成されている。これにより、両金具１０１，１０２を重ねた状態で、互いの縦孔１０８と横孔１０９とが組み合わされ、ボルト締結する際、アーチパイプと補強パイプとの間隔に応じて長さ調整自在かつ連結ボルト１０３を中心に回転自在とされている。
【先行技術文献】
【特許文献】
【０００６】
【特許文献１】特開２００７−３００８２６号公報
【特許文献２】特開２０１０−２２２２０号公報
【発明の概要】
【発明が解決しようとする課題】
【０００７】
上記のように従来の連結金具１００では、両金具１０１，１０２の互いの縦孔１０８と横孔１０９とを組み合わせることによって、アーチパイプと補強パイプとの間隔に応じて長さを調整可能であり、かつ連結ボルト１０３を中心に回転可能となっており、連結ボルト１０３の締め付け力のみにって両金具１０１，１０２が固定されている。そのため、連結ボルト１０３の締め付けが甘かったり、強風を受けたりした場合、両金具１０１，１０２の取付角度が動いてしまう可能性がある。
【０００８】
そこで、本発明においては、ビニルハウスを構成するアーチパイプ等の円柱状部材を強固に連結して固定することが可能な連結金具およびこれを用いた連結構造を提供することを目的とする。
【課題を解決するための手段】
【０００９】
本発明の連結金具は、２つ折り形状であり、２つ折りの谷部に形成された第１締着部であり、谷部の谷底に沿う線（以下、「谷底線」と称す。）に対して平行な線を中心軸とする円筒状に形成されて円柱状部材を挟み込む第１締着部と、２つ折りの重なり部に形成された第２締着部であり、谷底線に対して垂直な線を中心軸とする円弧状断面を有して向かい合わせに配置された２つの側壁を備えるとともに、当該２つの側壁を貫通してボルトにより締結可能な第１貫通孔を備える第２締着部とを有する。
【００１０】
本発明の連結金具により、並設される第１の円柱状部材と第２の円柱状部材とを連結する連結構造は、本発明の連結金具を一対含み、一対の連結金具の第１締着部に第１の円柱状部材および第２の円柱状部材がそれぞれ締着され、一対の連結金具の第２締着部同士が、互いの第１貫通孔が重なり合うように配置され、全ての第１貫通孔を貫通してボルトにより締結された連結構造である。本発明の連結構造によれば、円弧状断面を有して向かい合わせに配置された２つの側壁を備える一対の連結金具の第２締着部同士が重なり合った状態でボルトにより締結されるので、一対の連結金具の第２締着部同士が平行に維持される。これにより、一対の連結金具の第１締着部にそれぞれ締着された第１の円柱状部材と第２の円柱状部材とが平行に維持される。
【００１１】
また、本発明の連結金具により、並設される第１の円柱状部材と第２の円柱状部材とを連結する連結構造は、本発明の連結金具を一対含み、一対の連結金具の第１締着部に第１の円柱状部材および第２の円柱状部材がそれぞれ締着され、一対の連結金具の第２締着部に第３の円柱状部材が締着された連結構造である。本発明の連結構造によれば、一対の連結金具のそれぞれの円弧状断面を有して向かい合わせに配置された２つの側壁間に第３の円柱状部材が締着されるので、一対の連結金具の第２締着部と第３の円柱状部材とが一直線状に維持される。これにより、一対の連結金具の第１締着部にそれぞれ締着された第１の円柱状部材と第２の円柱状部材とが第３の円柱状部材の長さに応じた間隔で平行に維持される。
【００１２】
また、本発明の連結金具により、Ｔ字状に配設される第１の円柱状部材と第２の円柱状部材とを連結する連結構造は、本発明の連結金具を含み、連結金具の第１締着部に第１の円柱状部材が締着され、連結金具の第２締着部に第２の円柱状部材が締着された連結構造である。本発明の連結構造によれば、連結金具の円弧状断面を有して向かい合わせに配置された２つの側壁間に第２の円柱状部材が締着されるので、第２締着部と第２の円柱状部材とが一直線状に維持される。これにより、連結金具の第１締着部に締着された第１の円柱状部材と第２締着部に締着された第２の円柱状部材とが垂直に維持される。
【００１３】
ここで、第１貫通孔は、２つ折りの谷部の谷底線に対して垂直方向に長い長方形状の孔であることが望ましい。この長方形状の孔である第１貫通孔に対し、ボルトとして根角ボルトを用いて締結することにより、根角ボルトの根角部分の平行な２面が第１貫通孔に拘束され、回転しなくなるので、このボルトに対してナットを一方から締め付けることが可能となる。また、第１貫通孔が、２つ折りの谷部の谷底線に対して垂直方向に長い、すなわち、第２締着部の円弧状断面の中心軸方向に長いため、この中心軸方向のボルトの締結位置を調整することが可能となる。
【００１４】
また、第１貫通孔と第１締着部との間に第２貫通孔を備える構成とすることができる。これにより、この第２貫通孔を利用して、滑車や筋交い等の別部材を円柱状部材に固定することが可能となる。
【発明の効果】
【００１５】
（１）谷部の谷底線に対して平行な線を中心軸とする円筒状に形成されて円柱状部材を挟み込む第１締着部と、谷底線に対して垂直な線を中心軸とする円弧状断面を有して向かい合わせに配置された２つの側壁を備えるとともに、当該２つの側壁を貫通してボルトにより締結可能な第１貫通孔を備える第２締着部とを有する連結金具によれば、ビニルハウスを構成するアーチパイプ等の円柱状部材を強固に連結して固定することが可能となる。
【００１６】
（２）第１貫通孔が、２つ折りの谷部の谷底線に対して垂直方向に長い長方形状の孔であることにより、この第１貫通孔に対して根角ボルトを用いて締結することにより、ナットを一方から締め付けて容易に固定することが可能となる。また、第２締着部の円弧状断面の中心軸方向のボルトの締結位置を調整することが可能となるため、固定位置の自由度が増す。
【００１７】
（３）第１貫通孔と第１締着部との間に第２貫通孔を備える構成により、他の部材を追加することなく、滑車や筋交い等を設けることが可能となる。
【図面の簡単な説明】
【００１８】
【図１】本発明の実施の形態における連結金具を示す図であって、（ａ）は正面図、（ｂ）は右側面図、（ｃ）は底面図である。
【図２】図１の連結金具を開いた状態を示す右側面図である。
【図３】図１の連結金具を用いた連結構造の一例を示す図であって、（ａ）は正面図、（ｂ）は平面図である。
【図４】一対の連結金具の間に第３の円柱状部材を用いた連結構造の例を示す図であって、（ａ）は正面図、（ｂ）は平面図である。
【図５】図１の連結金具を用いた連結構造の別の例を示す図であって、（ａ）は正面図、（ｂ）は平面図である。
【図６】本発明の連結金具の別の実施形態を示す図であって、（ａ）は正面図、（ｂ）は右側面図、（ｃ）は底面図である。
【図７】ビニルハウス本体の骨組を示す正面図である。
【図８】図７のＡ−Ａ断面図である。
【図９】図７のＢ矢視図である。
【図１０】ビニルハウスのドアの骨組を示す正面図である。
【図１１】従来の連結金具の分解斜視図である。
【発明を実施するための形態】
【００１９】
図１は本発明の実施の形態における連結金具を示す図であって、（ａ）は正面図、（ｂ）は右側面図、（ｃ）は底面図、図２は図１の連結金具を開いた状態を示す右側面図である。
【００２０】
図１において、本発明の実施の形態における連結金具１は、プレス加工によって、円弧状断面を有して向かい合わせに配置された２つの側壁２ａ，２ｂを備える２つ折り形状に形成されたスチール製である。この２つ折りの谷部（図１（ａ）、（ｂ）の上端部）は、その谷底１ａに沿う線（谷底線）に対して平行な線（図１（ａ）の左右方向）を中心軸とする円筒状に形成されて、円柱状部材を挟み込む第１締着部３を構成している。
【００２１】
側壁２ａ，２ｂは、２つ折りの重なり部に配置されており、側壁２ａ，２ｂ間に円筒状の第２締着部４を構成している。また、側壁２ａ，２ｂには、これら２つの側壁２ａ，２ｂを貫通してボルトにより締結可能な第１貫通孔５を備えている。第１貫通孔５は、谷底線に対して垂直方向に長い長方形状の孔である。連結金具１は、図２に示すように、谷底１ａを中心として側壁２ａ，２ｂを開閉可能となっている。
【００２２】
なお、本実施形態における連結金具１では、ボルトとして、ボルトの頭部の付け根部分が正方形断面となっている根角ボルトを用いる。そのため、第１貫通孔５の短辺方向の幅は、この根角ボルトの根角部分の幅に対応する幅とし、第１貫通孔５に根角ボルトを挿入してナットを締め付ける際、根角ボルトの根角部分の平行な２面が第１貫通孔５に拘束され、ナットの回転とともに根角ボルトが回転しないようにしている。
【００２３】
次に、上記連結金具１を用いた連結構造について説明する。図３は図１の連結金具１を用いた連結構造の一例を示す図であって、（ａ）は正面図、（ｂ）は平面図である。
【００２４】
図３に示す連結構造１０は、並設される第１の円柱状部材１１と第２の円柱状部材１２とを一対の連結金具１，１により連結する構造である。連結金具１は、谷底１ａを中心として側壁２ａ，２ｂを開き、図２に示すように、第１締着部３および第２締着部４を開放してから取り付けられる。第１の円柱状部材１１および第２の円柱状部材１２は、一対の連結金具１，１の第１締着部３にそれぞれ締着される。また、一対の連結金具１，１の第２締着部４同士が、互いの第１貫通孔５が重なり合うように配置され、全ての第１貫通孔５を貫通してボルト１３およびナット１４により締結される。
【００２５】
この連結構造１０によれば、一対の連結金具１，１の第２締着部４同士が、図３に示すように重なり合った状態でボルト１３により締結されるので、一対の連結金具１，１の第２締着部４同士が平行に維持される。これにより、一対の連結金具１，１の第１締着部３にそれぞれ締着された第１の円柱状部材１１と第２の円柱状部材１２とが平行に維持される。このとき、一対の連結金具１，１の第２締着部４同士の締着力は、円弧状断面を有する側壁２ａ，２ｂにより構成されており、全半径方向に均等に作用するため、一対の連結金具１，１は強固に固定される。
【００２６】
また、本実施形態においては、ボルト１３は根角ボルトであり、前述のように、ナット１４を締め付ける際、根角ボルトの根角部分の平行な２面が第１貫通孔５に拘束され、ナット１４の回転とともに回転しないため、ナット１４を一方から締め付けて容易に固定することが可能である。なお、ボルト１３は根角ボルト以外のボルトを用いることも可能である。
【００２７】
また、本実施形態における第１貫通孔５は長方形状の孔であり、第２締着部４の円弧状断面の中心軸方向のボルト１３の締結位置を調整することが可能であるため、固定位置の自由度が増しており、第１の円柱状部材１１と第２の円柱状部材１２との間隔が多少ずれていても取り付けることが可能である。なお、第１貫通孔５は、長円状、円状や正方形状等とすることも可能である。
【００２８】
また、並設される第１の円柱状部材１１と第２の円柱状部材１２との距離が長い場合には、図４に示すように、一対の連結金具１，１の間に第３の円柱状部材１５を用いて、第１の円柱状部材１１を締着する第１締着部３と第２の円柱状部材１２を締着する第１締着部３との間隔を延長することが可能である。この場合、第３の円柱状部材１５には、ボルト１３が貫通する貫通孔（図示せず。）が設けられ、一対の連結金具１，１のそれぞれの第２締着部４に第１貫通孔５を貫通してボルト１３およびナット１４により締結される。
【００２９】
次に、連結金具１を用いた別の連結構造について説明する。図５は図１の連結金具１を用いた連結構造の別の例を示す図であって、（ａ）は正面図、（ｂ）は平面図である。
【００３０】
図５に示す連結構造２０は、Ｔ字状に配設される第１の円柱状部材２１と第２の円柱状部材２２とを１つの連結金具１により連結する構造である。第１の円柱状部材２１は連結金具１の第１締着部３に締着され、第２の円柱状部材２２は第２締着部４に締着される。なお、第２の円柱状部材２２には、ボルト１３が貫通する貫通孔（図示せず。）が設けられており、連結金具１の第１貫通孔５を貫通してボルト１３およびナット１４により締結される。
【００３１】
この連結構造２０によれば、連結金具１の円弧状断面を有して向かい合わせに配置された２つの側壁２ａ，２ｂ間に第２の円柱状部材２２が締着されるので、第２締着部４と第２の円柱状部材２２とが一直線状に維持される。これにより、連結金具１の第１締着部３に締着された第１の円柱状部材２１と第２締着部４に締着された第２の円柱状部材２２とが垂直に維持される。
【００３２】
次に、本発明の連結金具の別の実施形態について説明する。図６は本発明の連結金具の別の実施形態を示す図であって、（ａ）は正面図、（ｂ）は右側面図、（ｃ）は底面図である。なお、図６において、図１と共通の構成要素については同一符号を付し、その詳細な説明を割愛する。
【００３３】
図６に示す連結金具６は、図１で説明した連結金具１に対し、さらに第２貫通孔７を備えたものである。第２貫通孔７は、側壁２ａ，２ｂの第１貫通孔５と第１締着部３との間にそれぞれ設けられている。なお、本実施形態における第２貫通孔７は円状であるが、長円状、楕円状、正方形状や長方形状等とすることも可能である。この連結金具６は、第１締着部３を利用して円柱状部材に固定し、第２貫通孔７を利用して、滑車や筋交い等の別部材を固定することが可能である。
【００３４】
次に、上記連結金具１，６および連結構造１０，２０を採用したビニルハウスの例について説明する。図７はビニルハウス本体の骨組を示す正面図、図８は図７のＡ−Ａ断面図、図９は図７のＢ矢視図、図１０はビニルハウスのドアの骨組を示す正面図である。
【００３５】
図７に示すビニルハウス３０では、第１の円柱状部材としてのスチールパイプ３１と第２の円柱状部材としてのスチールパイプ３２とが所定の間隔で並設されている。スチールパイプ３１とスチールパイプ３２とは、所定の間隔で連結金具１，６を用いた連結構造１０により連結される。なお、図７に示す例では、スチールパイプ３１，３２は等間隔で並設されているが、屋根部が中央に向かってスチールパイプ３１，３２の間隔が拡がる構造とする場合、図４に示したように、第３の円柱状部材１５として長さの異なるスチールパイプを用いて連結することが可能である。
【００３６】
また、図８に示すように、スチールパイプ３１，３２は、図７の正面に対して前後方向にも所定の間隔で設けられている。そして、この前後に設けられたスチールパイプ３１に固定された連結金具６の第２貫通孔７を利用して、前後方向にワイヤー３３を張り、このワイヤー３３に滑車３４を設けることが可能である。これにより、ビニルハウス３０の天井部に開閉可能なカーテン３５を設けることが可能となる。また、図９に示すように、スチールパイプ３１に固定された連結金具６の第２貫通孔７を利用して筋交い３６を設けることも可能である。
【００３７】
また、図１０に示すように、第１の円柱状部材としてのスチールパイプ３７と、第２の円柱状部材としてのスチールパイプ３８とをＴ字状に配設し、連結金具１を用いた連結構造２０により連結することで、ビニルハウス３０のドア３９を形成することが可能である。
【産業上の利用可能性】
【００３８】
本発明の連結金具は、ビニルハウスを構成するスチールパイプ等の円柱状部材を連結する部材として有用である。
【符号の説明】
【００３９】
１，６  連結金具
２ａ，２ｂ  側壁
３  第１締着部
４  第２締着部
５  第１貫通孔
７  第２貫通孔
１０，２０  連結構造
１１，１２，１５，２１，２２  円柱状部材
１３  ボルト
１４  ナット
３０  ビニルハウス
３１，３２，３７，３８  スチールパイプ
３３  ワイヤー
３４  滑車
３５  カーテン
３６  筋交い
【図１】
0006001017.tif 000002
【図２】
0006001017.tif 000003
【図３】
0006001017.tif 000004
【図４】
0006001017.tif 000005
【図５】
0006001017.tif 000006
【図６】
0006001017.tif 000007
【図７】
0006001017.tif 000008
【図８】
0006001017.tif 000009
【図９】
0006001017.tif 000010
【図１０】
0006001017.tif 000011
【図１１】
0006001017.tif 000012